【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
ペロブスカイト型構造的特徴を示す混合金属酸化物又はその組成物であり、前記混合金属酸化物には：
Ｂａ；
Ｘ（ここでＸはＣａ又はＳｒを示す）；
Ｚ（ここでＺは希土類金属を示す）；及び
Ｔ（ここでＴはＦｅ、Ｃｒ、Ｃｕ、Ｃｏ又はＭｎであり、かつ３つの異なる配位サイトに存在する）
のカチオンが存在し、
前記カチオンの１以上が場合により部分的に金属ドーパントと置換されている、
混合金属酸化物又はその組成物。
【請求項２】
請求項１に記載の混合金属酸化物であり、前記３つの異なる配位サイトが、実質的に四角錐配位サイトを含む、混合金属酸化物。
【請求項３】
請求項１又は２のいずれか一項に記載の混合金属酸化物であり、前記３つの異なる配位サイトが実質的に八面体、四角錐及び四面体である、混合金属酸化物。
【請求項４】
請求項１乃至３のいずれか一項に記載の混合金属酸化物であり、ＴがＦｅである、混合金属酸化物。
【請求項５】
請求項１乃至４のいずれか一項に記載の混合金属酸化物であり、前記ペロブスカイト型構造的特徴が、ペロブスカイト超構造による、混合金属酸化物。
【請求項６】
請求項５に記載の混合金属酸化物であり、前記ペロブスカイト超構造は、前記ペロブスカイト単位セルの容積の５倍以上、より好ましくは前記ペロブスカイト単位セルの容積の１０倍以上、特に好ましくは前記ペロブスカイト単位セルの容積の１５倍以上、より好ましくは前記ペロブスカイト単位セルの容積の２０倍以上、さらにより好ましくは前記ペロブスカイト単位セルの容積の３２倍以上、の容積で単位セルを指数付けし得る、混合金属酸化物。
【請求項７】
請求項１乃至６のいずれか一項に記載の混合金属酸化物であり、前記ペロブスカイト型構造的特徴が、５層以上、より好ましくは８層以上、特に好ましくは１０層以上、さらに特に好ましくは１６層以上を有する層状ペロブスカイト構造による、混合金属酸化物。
【請求項８】
請求項１乃至７のいずれか一項に記載の混合金属酸化物であり、前記混合金属酸化物の前記構造が、１２配位、９配位及び８配位サイトを特徴とする、混合金属酸化物。
【請求項９】
請求項１乃至８のいずれか一項に記載の混合金属酸化物であり、前記希土類金属Ｚが、Ｌａ、Ｓｍ、Ｇｄ、Ｙ又はＤｙであり、好ましくはＧｄ、Ｓｍ、Ｙ又はＤｙであり、より好ましくはＹである、混合金属酸化物。
【請求項１０】
請求項１乃至９のいずれか一項に記載の混合金属酸化物であり、前記ＸがＣａを示す、混合金属酸化物。
【請求項１１】
請求項１乃至１０のいずれか一項に記載の混合金属酸化物であり、前記ペロブスカイト型構造的特徴が、化学式Ａ５Ｂ５Ｏ１３±δの非対称性結晶学的単位を持つ構造によるものであり、ここで
Ａは、Ｂａ、Ｘ及びＺで主に占有されるサイトを示し；
Ｂは、Ｔで主に占有されるサイトを示し；
δは場合により酸素の非化学量論量を示す、混合金属酸化物。
【請求項１２】
請求項１乃至１１のいずれか一項に記載の混合金属酸化物であり、式ＢａｙＸｘＺｚＴｎＯ１３±δの構造単位を持ち、ここで：
Ｘ、Ｚ及びＴは請求項１乃至１１のいずれか一項で定義されたものであり；
ｙは、１．０から３．０の範囲であり；
ｘは、１．０から３．０の範囲であり；
ｚは、０．５から２．０の範囲であり；
ｘ＋ｙ＋ｚは、４．９から５．１の範囲であり；
ｎは、４．９から５．１の範囲であり；かつ
δは、場合により非化学量論的酸素を示し、
ここで、１以上のＢａ、Ｘ、Ｚ及びＴは場合により部分的に金属ドーパントで置換されている、混合金属酸化物。
【請求項１３】
請求項１乃至１２のいずれか一項に記載の混合金属酸化物であり、式Ｂａ１．６Ｘ２．３Ｚ１．１Ｔ５Ｏ１３の構造単位を持ち、特に好ましくは式Ｂａ１．６Ｘ２．３Ｙ１．１Ｆｅ５Ｏ１３又はＢａ１．６Ｃａ２．３Ｚ１．１Ｆｅ５Ｏ１３の構造単位を持ち、特別に好ましくは式Ｂａ１．６Ｃａ２．３Ｙ１．１Ｆｅ５Ｏ１３の構造単位を持つ、混合金属酸化物。
【請求項１４】
請求項１乃至１０のいずれか一項に記載の混合金属酸化物であり、前記ペロブスカイト型構造的特徴が、化学式Ａ８Ｂ８Ｏ２１±δの非対称性結晶学的単位を持つ構造によるものであり、ここで：
Ａは、主にＢａ、Ｘ及びＺで占有されるサイトを示し；
Ｂは、主にＴで占有されるサイトを示し；及び
δは、場合により非化学量論的酸素を示す、混合金属酸化物。
【請求項１５】
請求項１乃至１０のいずれか一項に記載の混合金属酸化物であり、式ＢａｐＸｑＺｒＴｓＯ２１±δの構造単位を持ち：
ここで：
Ｘ、Ｚ及びＴは上記で定義されたとおりであり；
ｐは、１．０から３．０の範囲であり；
ｑは、３．０から４．０の範囲であり；
ｒは２．０から３．０の範囲であり；
ｐ＋ｑ＋ｒは、７．９から８．１の範囲であり；
ｓは７．９から８．１の範囲であり；及び
δは、場合により非化学量論的酸素を示し、
ここで、Ｂａ、Ｘ、Ｚ及びＴの１以上が場合により部分的に金属ドーパントで置換されている、混合金属酸化物。
【請求項１６】
請求項１５に記載の混合金属酸化物であり、式Ｂａ２．２Ｘ３．５Ｚ２．３Ｔ８Ｏ２１の構造単位を持ち、特に好ましくは式Ｂａ２．２Ｘ３．５Ｙ２．３Ｆｅ８Ｏ２１、Ｂａ２．２Ｃａ３．５Ｙ２．３Ｔ８Ｏ２１、又はＢａ２．２Ｃａ３．５Ｚ２．３Ｆｅ８Ｏ２１の構造単位を持ち、特に好ましくは式Ｂａ２．２Ｃａ３．５Ｙ２．３Ｆｅ７．４Ｃｕ０．６Ｏ２１の構造単位を持つ、混合金属酸化物。
【請求項１７】
次のプロセスにより得られる請求項１乃至１６のいずれか一項に記載の混合金属酸化物であって、前記プロセスが：
（Ａ）Ｂａ、Ｘ、Ｚ、Ｔ及び前記場合による金属ドーパントのそれぞれの化合物の実質的な化学量論的量の緻密な混合物を調製すること；及び
（Ｂ）前記緻密な混合物中で反応を起こさせて前記混合金属酸化物又はその組成物を製造すること、
を含む、混合金属酸化物。
【請求項１８】
請求項１７に記載の混合金属酸化物であり、Ｂａ、Ｘ、Ｚ及びＴのそれぞれの前記化合物の前記実質的な化学量論的量が、カチオン比ａ：ｂ：ｃ：ｄで与えられ：
ａは、１．６から２．２の範囲であり；
ｂは、１．８から２．８の範囲であり；
ｃは、０．２から１．２の範囲であり；
ａ＋ｂ＋ｃは、５であり；
ｄは、５である、混合金属酸化物。
【請求項１９】
請求項１７に記載の混合金属酸化物であり、Ｂａ、Ｘ、Ｚ及びＴのそれぞれの前記化合物の前記実質的な化学量論的量が、カチオン比ａ’：ｂ’：ｃ’：ｄ’で与えられ：
ａ’は、２．１から２．６の範囲であり；
ｂ’は、３．１から３．７の範囲であり；
ｃ’は、２．０から２．５の範囲であり；
ａ’＋ｂ’＋ｃ’は、８であり；
ｄ’は、８である、混合金属酸化物。
【請求項２０】
請求項１乃至１９のいずれか一項に記載の混合金属酸化物又はその組成物の、カソードとしての使用。
【請求項２１】
ペロブスカイト型構造的特徴を示す混合金属酸化物又はその組成物であり、前記混合金属酸化物には：
Ｂａ；
Ｘ又はＺの１つ（ここでＸ及びＺは、請求項１乃至２０のいずれか一項に定義されるとおりである）；及び
Ｔ（ここでＴは、請求項１乃至２０のいずれか一項に定義されるとおりであり、かつ３つの異なる配位サイトに存在する）、
のカチオンが存在し、
前記カチオンの１以上が場合により部分的に金属ドーパントで置換され、
前記ペロブスカイト型構造的特徴が、前記ペロブスカイト単位セルの容積の５倍以上の容積を持つ単位セルを指数付けし得る層状ペロブスカイト超構造による、混合金属酸化物又はその組成物。